(57)【要約】【課題】短時間で簡単に、日本髪に綿帽子を被ったのと同じ状態を実現できるようにし、地毛に癖が付く恐れもなく、花嫁の負担も軽くする。【解決手段】使用者の前頭部に被着可能な可撓性を有する基材であるに台金２に、日本髪かつらの前髪に相当する前髪部３と、左右の鬢の少なくとも前側部分に相当する一対の鬢部４とを取り付けた綿帽子用簡易日本髪かつらであり、その台金２の中央部から後方に延びる帯状支持片５と、その帯状支持片５から上方に延びるステイ６によって支持され、左右方向に延びて上方に凸に湾曲した綿帽子頂部支持部材７と、帯状支持片５の後端部に取り付けられた綿帽子後部支持部材８と設けている。台金２には左右の両側部間を狭める方向の弾性復元力を持たせ、レバー１１が操作されることによって、その弾性復元力に抗して両側部間を拡げるように台金２を変形させるレバー機構１０を備えた。【選択図】    図１
2015143402.tif 000002
【特許請求の範囲】
【請求項１】
使用者の前頭部に被着可能な可撓性を有する基材に、日本髪かつらの前髪に相当する前髪部と、左右の鬢の少なくとも前側部分に相当する一対の鬢部とを取り付け、
前記基材の前記前髪部を装着した中央部から後方に延びる帯状支持片と、該帯状支持片から上方に延びるステイによって支持され、前記帯状支持片と直交する左右方向に延びて上方に凸に湾曲した綿帽子頂部支持部材と、前記帯状支持片の後端部に取り付けられた綿帽子後部支持部材と設け、
前記基材自体又は別の弾性材によって前記基材に前記左右の両側部間を狭める方向の弾性復元力を持たせ、レバーが操作されることによって該弾性復元力に抗して前記両側部間を拡げるように前記基材を変形させるレバー機構を備えたことを特徴とする綿帽子用簡易日本髪かつら。
【請求項２】
請求項１に記載の綿帽子用簡易日本髪かつらにおいて、前記基材の前記両側部間を可変長さで接続可能な伸縮性を有するベルトを設けたことを特徴とする綿帽子用簡易日本髪かつら。
【請求項３】
前記綿帽子頂部支持部材を支持するステイが、前記帯状支持片が延びる前後方向に傾くように該帯状支持片に可動に取り付けられていることを特徴とする請求項１又は２に記載の綿帽子用簡易日本髪かつら。
【請求項４】
前記綿帽子後部支持部材が、綿帽子の後部内面に接触する曲面を有することを特徴とする請求項１から３のいずれか一項に記載の綿帽子用簡易日本髪かつら。
【発明の詳細な説明】
【技術分野】
【０００１】
この発明は、神前結婚式の際に、花嫁が綿帽子を被るのに適した綿帽子用簡易日本髪かつらに関する。
【背景技術】
【０００２】
神前結婚式においては、古来から花嫁が新郎以外の男性に顔を見せないという習慣により、神前では花嫁が白い綿帽子（頭巾）を深く被ることが行われている。
綿帽子を被着する際には、一般に高島田等の日本髪かつらを着用して、その上から綿帽子を被せている。
そのため、地毛の頭髪でかつらを着用するための下地を作った後、頭部のサイズにあった日本髪かつらを着用し、髪形を整える調整を行わなければならない。
【発明の概要】
【発明が解決しようとする課題】
【０００３】
そのため、予め花嫁の頭部に合ったサイズの日本髪かつらを準備しておく必要があり、それでも、実際にそのかつらを着用させて綿帽子を被せるのに最低でも１０分は要していた。また、地毛をまとめて下地を作るため、髪に癖がついてしまう可能性があった。
さらに、日本髪かつらは重いため、花嫁の負担が大きいという問題もあった。
この発明は、このような問題を解決するためになされたものであり、きわめて短時間で簡単に、日本髪に綿帽子を被ったのと同じ状態を実現できるようにし、地毛に癖が付く恐れもなく、花嫁の負担も軽くすることを目的とする。
【課題を解決するための手段】
【０００４】
この発明は上記の目的を達成するため、次のような綿帽子用簡易日本髪かつらを提供する。
その綿帽子用簡易日本髪かつらは、使用者の前頭部に被着可能な可撓性を有する基材に、日本髪かつらの前髪に相当する前髪部と、左右の鬢（びん）の少なくとも前側部分に相当する一対の鬢部とを取り付け、
上記基材の上記前髪部を装着した中央部から後方に延びる帯状支持片と、その帯状支持片から上方に延びるステイによって支持され、上記帯状支持片と直交する左右方向に延びて上方に凸に湾曲した綿帽子頂部支持部材と、上記帯状支持片の後端部に取り付けられた綿帽子後部支持部材とを設け、
上記基材自体又は別の弾性材によって該基材に上記左右の両側部間を狭める方向の弾性復元力を持たせ、レバーが操作されることによって該弾性復元力に抗して上記両側部間を拡げるように上記基材を変形させるレバー機構を備えたことを特徴とする。
【０００５】
上記綿帽子用簡易日本髪かつらにおいて、上記基材の両側部間を可変長さで接続可能な伸縮性を有するベルトを設けるよい
さらに、上記綿帽子頂部支持部材を支持するステイを、上記帯状支持片が延びる前後方向に傾くように帯状支持片に可動に取り付けるのが望ましい。
また、上記綿帽子後部支持部材が、綿帽子の後部内面に接触する曲面を有するのが望ましい。
【発明の効果】
【０００６】
この発明による綿帽子用簡易日本髪かつらを使用すれば、使用者が洋髪のまま（下地を作ることなく）、左右の鬢間を拡げるようにレバーを操作して前頭部に装着してレバーを離せば、きわめて短時間で誰でも簡単に装着することができる。そして、その上から綿帽子を被れば、その頂部が綿帽子頂部支持部材に、後部が綿帽子後部支持部材にそれぞれ支持されて形が整えられるので、髷や「たぼ」がなくても高島田のかつらを着用して綿帽子を被った場合と同様な外観になる。
したがって、これを使用すれば、かつらと綿帽子の着脱時間が約２０秒程度で済み、お色直しの際のクイックチェンジが可能になる。
しかも、取り外した後の地毛の髪型に影響がなく、軽いので花嫁の負担も少なくて済む。
【０００７】
また、上記基材の両端部間を可変長さで接続可能な伸縮性を有するベルトを設ければ、そのベルトを後頭部に沿わせて締めることによって、この綿帽子用簡易日本髪かつらを使用者の頭部に確実に装着することができる。
さらに、上記ステイを上述したように帯状支持片に可動に取り付けることによって、綿帽子頂部支持部材を前後方向に傾けてその前後位置及び高さを変更し、綿帽子の被り具合を容易に調整することができる。
上記綿帽子後部支持部材が、綿帽子の後部内面に接触する曲面を有するようにすれば、綿帽子の後方に下る部分の布を傷める恐れがなく、自然な形にすることができる。
【図面の簡単な説明】
【０００８】
【図１】この発明による綿帽子用簡易日本髪かつらの一実施形態の全体を示す側面図である。
【図２】そのレバー機構を拡大して後方から見た図である。
【図３】そのレバー機構を操作する手と共に側方から見た斜視図である。
【図４】そのレバー機構の操作による動作を説明するための図である。
【図５】図１に示した綿帽子用簡易日本髪かつらを使用者が装着して綿帽子を被った状態を透視して示す斜視図である。
【図６】同じくその正面図である。
【発明を実施するための形態】
【０００９】
以下、この発明を実施するための形態を図面に基づいて説明する。
図１はこの発明による綿帽子用簡易日本髪かつらの一実施形態の全体を示す側面図である。図２はそのレバー機構を拡大して後方から見た図である。
この綿帽子用簡易日本髪かつら１は、使用者の前頭部に被着可能な可撓性を有する基材である台金２に、日本髪かつらの前髪に相当する前髪部３と左右の鬢（びん）の少なくとも前側部分に相当する一対の鬢部４とを取り付けている。図１には示されていない、向かって右側の鬢部４は図６を参照されたい。
【００１０】
その台金２の前髪部３を装着した部位から後方に長く延びる帯状支持片５と、その帯状支持片５から上方に延びるステイ６によって支持され、帯状支持片５と直交する左右方向に延びて上方に凸に湾曲した綿帽子頂部支持部材７と、上記帯状支持片５の後端部に取り付けられた綿帽子後部支持部材８とを設けている。
【００１１】
この実施形態では、基材である台金２は、アルミニウムの可撓性を有する薄板で図２に示すように円弧面状に形成されており、それ自体も若干弾性復元力を有するが、後端縁２ａに沿ってピアノ線等のバネ性を有する弾性材を取り付けて、台金２に両側部２ｂ，２ｃ間を狭める方向の復元力を持たせている。台金２の内面には合成皮革シート２１を張って、それを後方へ少し延ばしている。
【００１２】
前髪部３と鬢部４は樹脂製の人工毛髪で形成され、前髪部３は形を維持するためのアルミニウム薄板を内蔵しており、正面から見える中間部を膨らませてＵ字状に折り返した多数の毛髪の下端側３ａを左右二つに分けて束ね、それを一緒に蝶ネジ２２で台金２に固定して取り付けている。上端側３ｂは一つに束ねて、後述するレバー１１の基部上に接着している。
左右一対の鬢部４は、列をなす多数の人工毛髪の一端部をそれぞれ台金２に被着するネット布２３に結び付けて前方に凸状に湾曲させ、後端部側を２枚の紙の間にアルミニウムのネットを挟んだ補強シート（図示していない）に貼り付けて成形している。
【００１３】
台金２の中央部上面の前髪部３を装着した部位の後方にベースプレート２４が固着され、その上にレバー機構１０が設けられている。そのベースプレート２４上に、レバー機構１０のＬ型ガイド金具１２を、長手方向を左右方向に向けて固着している。
そのＬ型ガイド金具１２の水平部１２ａ上とスペーサ２５を挟んでベースプレート２４上に跨って、帯状支持片５の前端部５ａをネジ止め固着している。
帯状支持片５はアルミニウム等の剛性を有する厚さの細幅板材で、図１に示すように幾分上方に湾曲して後方が高くなる形状に形成されており、後端部５ｂは自由端になっている。
【００１４】
その帯状支持片５の最も高くなった部分の上面に軸受部５ｃを設け、その軸受部５ｃに綿帽子頂部支持部材７を支持するＹ字状のステイ６の基部を、図１に矢示Ａで示すように回動可能にネジ止めしている。すなわち、綿帽子頂部支持部材７を支持するステイ６を、帯状支持片５が延びる前後方向に傾くように可動に取り付けている。
したがって、綿帽子頂部支持部材７に前後方向の力を加えるとステイ６が回動して前後方向に傾き、綿帽子頂部支持部材７の前後方向の位置及び高さが変化する。
【００１５】
この実施形態では、軸受部５ｃはアルミニウムで、ステイ６と綿帽子頂部支持部材７は真鍮の細幅板材で形成され、綿帽子頂部支持部材７の両端部７ａは、綿帽子を損傷しないように内側に丸めて折り返されている。
帯状支持片５の後端部５ｂには、綿帽子の後部内面に接触する曲面を有する綿帽子後部支持部材８が取り付けられている。この綿帽子後部支持部材８は、アクリル等の合成樹脂によって形成されている。
【００１６】
この実施形態のレバー機構１０は、図２に明示するように構成されている。
Ｌ型ガイド金具１２の垂直部１２ｂに、直角に折れ曲がったジョイントアングル１３が固着され、その前後方向に延びる面に、レバー１１の前半部下面から垂直に延びる垂下片１１ａの前端部をネジ１４によって軸支し、レバー１１を矢示Ｂ方向に回動可能に支持している。
【００１７】
一方、Ｌ型ガイド金具１２の長手方向の両端部には、上方へ折れ曲がってガイド孔を形成した一対のガイド部１２ｃを設けており、台金２の両側部（鬢部４のもみあげに対応する部分）にもそれぞれガイド孔を形成したガイド金具１５を固着している。
そのガイド部１２ｃとガイド金具１５の各ガイド孔を通して、一対の細長いアーム杆１６を設け、その各上端の立ち上がり部１６ａを、レバー１１の垂下片１１ａの後端部側にネジ１７によって回動可能に軸支している。
この実施形態では、ベースプレート２４、レバー１１、Ｌ型ガイド金具１２、ジョイントアングル１３、およびガイド金具１５はいずれもアルミニウム板で形成され、一対のアーム杆１６は真鍮の細幅板材で形成されている。
【００１８】
台金２には前述したピアノ線等の弾性材によって、両側部２ｂ，２ｃ間を狭める方向の復元力を持たせているので、常時は、台金２の両側部２ｂ，２ｃの間隔が狭くなっている。そのため、このレバー機構１０の一対のアーム杆１６が幾分立ち上がって、各上端の立ち上がり部１６ａが上昇し、レバー１１の自由端部側を押し上げている。
そこで、この綿帽子用簡易日本髪かつら１を花嫁等の使用者の頭部に装着する際には、その世話をする者が、図３に示すように、手５０の親指５１と中指５２で帯状支持片５のレバー１１の下方部分を押さえて、この綿帽子用簡易日本髪かつら１を保持する。
【００１９】
そして、人指し指５３でレバー１１を押さえて矢示Ｃ方向へ回動させると、そのレバー１１における垂下片１１ａの一対のアーム杆１６を軸支する部分が、図４に矢示Ｄで示すように押し下げられる。そのため、一対のアーム杆１６が図３に矢示Ｅで、図４に矢示Ｆで示すように変位して、図４に仮想線で示すように両側部が開いた状態になる。
【００２０】
この一対のアーム杆１６の変位によって、図２に示した台金２が、両側部２ｂ，２ｃ間を狭める方向の弾性復元力に抗して、左右のもみあげ位置に相当する両側部２ｂ，２ｃ間を拡げるように変形される。
したがって、使用者の頭部の大きさに係りなく、この綿帽子用簡易日本髪かつら１を短時間で簡単に装着することができる。
その後、レバー１１から指を離せば、一対のアーム杆１６を変位させる力がなくなるため、台金２はその弾性復元力によって、両側部２ｂ，２ｃ間を狭める状態に戻り、使用者のもみあげ部に当って停止し、綿帽子用簡易日本髪かつら１が使用者の頭部に保持される。一対のアーム杆１６も図４に実線で示した元の状態に近づき、レバー１１を押し上げる。
【００２１】
さらに、この実施形態の綿帽子用簡易日本髪かつら１は、図２に示すように、基材である台金２の両側部２ｂ，２ｃ間を可変長さで接続可能な伸縮性を有するベルトを設けている。すなわち、台金２の一方の側部２ｂに長いベルト９Ａの一端を、他方の側部２ｃに短いベルト９Ｂの一端をそれぞれ若干回動可能にネジ留めしている。
このベルト９Ａ，９Ｂのうち、少なくとも長いベルト９Ａを平ゴムのような伸縮性を有するベルトにするとよい。そして、ベルト９Ａと９Ｂが重なり合う面の一方に短冊状面ファスナのメスを、他方にそのオスを縫い付けている。
【００２２】
したがって、その面ファスナの重なり位置によってベルトの有効長さを可変調整して、ベルト９Ａ，９Ｂを接続することができる。
そこで、上述のようにして綿帽子用簡易日本髪かつら１を使用者の頭部に被せた後、ベルト９Ａを使用者の後頭部に沿わせて少し伸ばしながら、その自由端部側をベルト９Ｂに重ねて、面ファスナによって接続することによってベルトを締め、この綿帽子用簡易日本髪かつら１を使用者の頭部に確実に装着することができる。
台金２の両側部２ｂ，２ｃ間にベルトを可変長さで接続する手段としては、面ファスナが最も操作性がよいが、孔明きバンド式、スライドバンド式、多段フック式など種々の方式のものを採用可能である。
【００２３】
図５は、図１に示した綿帽子用簡易日本髪かつら１を使用者７０が装着して、綿帽子６０を被った状態を透視して示す斜視図であり、図６はその正面図である。これらの図は透視図であるため、綿帽子６０は細い実線で示している。
この綿帽子用簡易日本髪かつら１は、図５に示すように使用者７０が地毛による洋髪７１のまま装着することができる。そして、その綿帽子用簡易日本髪かつら１の上から綿帽子６０を被ると、その頂部は綿帽子頂部支持部材７によって、後部は綿帽子後部支持部材８によって、それぞれ滑らかに支持され、手前側は、前髪部３と左右の鬢部４によって支持される。それによって、図５に示すように側面から見ても、図６に示すように正面から見ても、高島田の日本髪かつらを着用して綿帽子を被った場合と同様な美しい外観が得られる。
【００２４】
このように、この発明による綿帽子用簡易日本髪かつら１を使用すれば、花嫁などの使用者が地髪の洋髪のまま（下地を作ることなく）、頭部のサイズに係らず、きわめて短時間で誰でも簡単に装着することができる。そして、その上から綿帽子を被れば、高島田のかつらを着用して綿帽子を被った場合と同様な美しい外観になる。
したがって、これを使用すれば、かつらと綿帽子の着脱時間が約２０秒程度で済み、お色直しの際のクイックチェンジが可能になる。しかも、特別な技術を必要としない。
【００２５】
また、台金２の内面には合成皮革シート２１を張ってあるので、装着したときの感触が良く、頭髪を傷める恐れもない。そして、取り外した後の地毛の髪型に影響がなく、重さが普通の日本髪かつらと比べて半分以下で軽いため、花嫁の負担が少なくて済む。
また、綿帽子頂部支持部材を前後方向に傾けてその前後位置及び高さを変更できるので、綿帽子の被り具合を容易に調整することができる。
上記綿帽子後部支持部材が、綿帽子の後部内面に曲面で接触するので、綿帽子の後方に下る部分の布を傷める恐れがなく、自然な形にすることができる。
【００２６】
以上、この発明の実施形態について説明してきたが、その実施形態の各部の具体的な構成や形状及び材料等は、そこに記載したものに限るものではない。
また、この発明は上述した実施形態に限定されるものではなく、特許請求の範囲の各請求項に記載された技術的特徴を有する以外は、何ら限定されるものではないことは言うまでもない。
さらに、以上説明してきた実施形態の構成例等は、適宜変更又は追加したり、一部を削除してもよいことは勿論である。
【符号の説明】
【００２７】
１：綿帽子用簡易日本髪かつら    ２：台金（基材）    ２ａ：台金の後端縁部    
２ｂ，２ｃ：台金の両側部    ３：前髪部    ３ａ：下端側    ３ｂ：上端側    
４：鬢部    ５：帯状支持片    ６：ステイ    ７：綿帽子頂部支持部材    
８：綿帽子後部支持部材    １０：レバー機構    １１：レバー    １１ａ:垂下片  
１２：Ｌ型ガイド金具    １２ａ：水平部    １２ｂ：垂直部    １２ｃ：ガイド部  
１３：ジョイントアングル  １４，１７：ネジ    １５：ガイド金具    １６：アーム杆
２１：合成皮革シート    ２２：蝶ネジ    ２３：ネット布    ２４：ベースプレート  
２５：スペーサ    ５０：手    ６０：綿帽子    ７０：使用者
【図１】
2015143402.tif 000003
【図２】
2015143402.tif 000004
【図３】
2015143402.tif 000005
【図４】
2015143402.tif 000006
【図５】
2015143402.tif 000007
【図６】
2015143402.tif 000008